(57)【要約】【課題】ポールの変形や折損を防止し、毎年繰り返して使用することが可能な降積雪線区の諸標用ポールを提供する。【解決手段】地中に固定されるベース体１０を設ける。該ベース体１０に連結支持され鉛直上方に向けて設置するポール体２０を設ける。ベース体１０とポール体２０とを連結するコイルスプリング体３０を設ける。コイルスプリング体３０の内部に横ずれ防止材３１を装填する。コイルスプリング体３０の伸長力に抗するスプリング補強体４０を設ける。該スプリング補強体４０をコイルスプリング体３０の下部に連結する。【選択図】  図２
2017101390.tif 000002
【特許請求の範囲】
【請求項１】
地中に固定されるベース体と、該ベース体に連結支持され鉛直上方を向くポール体とを備え、降積雪線区の線路脇に設置される諸標用ポールにおいて、ベース体とポール体とを引張りコイルばねから成るコイルスプリング体にて連結し、該コイルスプリング体の内部に可撓性を有する材質で形成された横ずれ防止材を装填すると共に、コイルスプリング体の引っ張り力に抗する押圧付勢力を備えたスプリング補強体をコイルスプリング体の下部に連結してコイルスプリング体の弾性復元力を補助するように構成したことを特徴とする降積雪線区の諸標用ポール。
【請求項２】
前記スプリング補強体は、コイルスプリング状の補強スプリングと、該補強スプリングの下端部から前記コイルスプリング体の上端部まで連結された連結可撓材とを備え、前記横ずれ防止材が前記コイルスプリング体内部で連結可撓材を保持するように構成した請求項１記載の降積雪線区の諸標用ポール。
【請求項３】
前記コイルスプリング体は、強弾性スプリング部と、弱弾性スプリング部とを備え、前記ポール体が受ける圧力に対応して前記弱弾性スプリング部から二段階に屈曲するように構成した請求項１記載の降積雪線区の諸標用ポール。
【請求項４】
前記強弾性スプリング部及び前記弱弾性スプリング部は、それぞれを構成するコイルスプリングの外径、線径、有効巻き数のいずれかの変更又はこれらの変更の組み合わせにより前記コイルスプリング体が二段階に屈曲するように構成された請求項３記載の降積雪線区の諸標用ポール。
【請求項５】
前記コイルスプリング体に対して前記ポール体は着脱自在に連結され、前記ポール体を交換可能に構成した請求項１記載の降積雪線区の諸標用ポール。
【発明の詳細な説明】
【技術分野】
【０００１】
本発明は、降積雪線区の線路沿いに設置される降積雪線区の諸標用ポールに係り、除雪車両の投雪や降雪による積雪などの圧力が加わってもポールの変形や折損を防止することができる降積雪線区の諸標用ポールに関するものである。
【背景技術】
【０００２】
線路沿いには様々な諸標が設置されているが、降積雪線区では、除雪車両による投雪などの圧力や、降雪による積雪などの圧力が諸標に加わると、ポールが傾いたり倒れたりする。また、傾斜面に設置されている諸標では、傾斜面に沿って移動する積雪によってもポールが傾いたり倒れたりする虞があり、最悪の場合ポールが折損してしまうケースもある。
【０００３】
従来の諸標用ポールとして、強度的要請から鉄製のポールに防錆剤を塗布して使用している。そして、毎年、冬期後には傾いたり倒れたりしたポール修繕作業が行われ、歪みや折損したポールは新しいものと交換する。
【０００４】
一方、この種のポールが傾いたり倒れたりしても復元が可能になるように構成した諸標用ポールが特許文献１及び特許文献２に記載されている。
【０００５】
特許文献１に記載されているスノーポールは、可撓性のポールの内部に空間を形成し、この空間にコイルスプリングを収納したもので、降雪等によりポールが屈曲した場合でも、コイルスプリングの弾性力にて基の直立状態に復元するように構成している。
【０００６】
一方、特許文献２に記載されている反射器材用のポールは、ポールを上下に分離し、この分離部分に外側からコイルスプリングを巻き付けた構成が記載されている。この構成によると、ポールに車両が衝突しても分離部分のコイルスプリングが屈曲して外力を吸収するのでポールの破損を防止するというものである。
【先行技術文献】
【特許文献】
【０００７】
【特許文献１】特開平７−２５９０３０号公報
【特許文献２】特開２００３−１２９４３１号公報
【発明の概要】
【発明が解決しようとする課題】
【０００８】
降積雪線区の諸標用ポールは、降積雪線区の全線に設置されているので、変形や破損が生じた全ての諸標用ポールの交換や修繕に掛かる経費及び、交換に要する作業などに毎年莫大な予算が必要になっている。しかも、傾斜した諸標用ポールが列車運行を妨げる虞があるなど事故を誘発する可能性もある。そこで、降積雪線区の線路管理業務において、耐久性に優れ毎年繰り返して使用することが可能で、ポールの傾斜等による列車運行の妨害や事故なども防止することができる諸標用ポールの開発が期待されていた。
【０００９】
一方、従来提案されている復元可能なポールでは、降積雪線区の諸標用ポールとして使用するには耐久性上の課題があった。例えば、特許文献１に記載されているスノーポールは、可撓性の材質で形成されたポールの空間内に、間隔を空けてコイルスプリングを収納したものであるから、コイルスプリングの弾性強度に限界がある。
【００１０】
すなわち、このコイルスプリングは可撓性ポールの空間内でコイルスプリングが震動する構成である。そのため、コイルスプリングの弾性強度を高めると、振動したコイルスプリングポールが内側に強く当たり、ポールが損傷する虞がある。一方、このようなポールの損傷を防止するためにコイルスプリングの弾性力を下げてしまうと、弾性復元力が脆弱になり、僅かな圧力が加わった場合でも雪の中に埋設し、降積雪線区の諸標用ポールとして使用できなくなる虞がある。
【００１１】
また、特許文献２に記載されている反射器材用のポールでは、上下に分離したポールの分離部分に巻き付けたコイルスプリングが屈曲すると、コイルスプリングが復帰できなくなる虞があった。すなわち、このポールに積雪などの圧力が加わると、分離部分のコイルスプリングのみが屈曲するので、このコイルスプリングに全ての荷重が集中する。この結果、積雪などの圧力が分離部分に集中するとコイルスプリングの復帰限界を越えて座屈する虞があった。
【００１２】
そこで、本発明は上述の課題を解消すべく創出されたもので、除雪車両の投雪や降雪による積雪などの圧力が加わってもポールの変形や折損を防止し、毎年繰り返して使用することが可能で、傾いたポールによる列車運行の妨害や事故なども防止することができる降積雪線区の諸標用ポールの提供を目的とするものである。
【課題を解決するための手段】
【００１３】
上述の目的を達成すべく本発明における第１の手段は、地中に固定されるベース体１０と、該ベース体１０に連結支持され鉛直上方を向くポール体２０とを備え、降積雪線区の線路脇に設置される諸標用ポールにおいて、ベース体１０とポール体２０とを引張りコイルばねから成るコイルスプリング体３０にて連結し、該コイルスプリング体３０の内部に可撓性を有する材質で形成された横ずれ防止材３１を装填すると共に、コイルスプリング体３０の引っ張り力に抗する押圧付勢力を備えたスプリング補強体４０をコイルスプリング体３０の下部に連結してコイルスプリング体３０の弾性復元力を補助するように構成したことにある。
【００１４】
第２の手段の前記スプリング補強体４０は、コイルスプリング状の補強スプリング４２と、該補強スプリング４２の下端部から前記コイルスプリング体３０の上端部まで連結された連結可撓材４１とを備え、前記横ずれ防止材３１が前記コイルスプリング体３０内部で連結可撓材４１を保持するように構成したものである。
【００１５】
第３の手段の前記コイルスプリング体３０は、強弾性スプリング部３０Ａと、弱弾性スプリング部３０Ｂとを備え、前記ポール体２０が受ける圧力に対応して前記弱弾性スプリング部３０Ｂから二段階に屈曲するように構成している。
【００１６】
第４の手段において、前記強弾性スプリング部３０Ａ及び前記弱弾性スプリング部３０Ｂは、それぞれを構成するコイルスプリングの外径、線径、有効巻き数のいずれかの変更又はこれらの変更の組み合わせにより前記コイルスプリング体３０が二段階に屈曲するように構成している。
【００１７】
第５の手段は、前記コイルスプリング体３０に対して前記ポール体２０は着脱自在に連結され、前記ポール体２０を交換可能に構成したものである。
【発明の効果】
【００１８】
請求項１のごとく、地中に固定されるベース体１０と、該ベース体１０に連結支持され鉛直上方を向くポール体２０とを備え、降積雪線区の線路脇に設置される諸標用ポールにおいて、ベース体１０とポール体２０とを引張りコイルばねから成るコイルスプリング体３０にて連結し、該コイルスプリング体３０の内部に可撓性を有する材質で形成された横ずれ防止材３１を装填し、コイルスプリング体３０の引っ張り力に抗する押圧付勢力を備えたスプリング補強体４０をコイルスプリング体３０の下部に連結してコイルスプリング体３０の弾性復元力を補助するように構成したことにより、降積雪線区の諸標用ポールとして使用するのに十分な耐久性を備えることに成功した。この結果、除雪車両の投雪や降雪による積雪などの圧力が加わってもポールの変形や折損を防止し、毎年繰り返して使用することが可能で、傾いたポールによる列車運行の妨害や事故なども防止することができる。
【００１９】
しかも、コイルスプリング体３０の内部に装填した横ずれ防止材３１により、コイルスプリング体３０の内部に雪や雨水、異物等の侵入を極力防止できるので、コイルスプリング体３０の耐久性能を高める効果もある。
【００２０】
請求項２のように、スプリング補強体４０は、コイルスプリング状の補強スプリング４２と、該補強スプリング４２の下端部からコイルスプリング体３０の上端部まで連結された連結可撓材４１とを備え、横ずれ防止材３１が前記コイルスプリング体３０内部で連結可撓材４１を保持するように構成したことで、コイルスプリング体３０と共に連結可撓材４１が撓んだ際に、横ずれ防止材３１が連結可撓材４１の位置をコイルスプリング体３０の中心部分に常に保持することができる。この結果、コイルスプリング体３０や補強スプリング４２の弾性力を十分に発揮することができる。
【００２１】
また、スプリング補強体４０として、コイルスプリング状の補強スプリング４２の押圧付勢力を利用しているので、コイルスプリング体３０の引っ張り力の強度に対応した補強スプリング４２を適宜選択することで、補強スプリング４２の強度を容易に調整することができる。
【００２２】
請求項３のように、強弾性スプリング部３０Ａと、弱弾性スプリング部３０Ｂとを備え、ポール体２０が受ける圧力に対応してコイルスプリング体３０が二段階に屈曲するように構成したことで、降雪した雪の荷重や積雪の深さ、あるいは除雪車両等による側面方向からの圧力荷重など、降積雪線区の現場の環境や状況に応じた有効な弾性特性が得られる。この結果、ポール体２０に加わる圧力でコイルスプリング体３０が二段階に屈曲する場合に、弾性力に差異が生じる境界部分の座屈や変形を確実に防止することができる。
【００２３】
請求項４のごとく、強弾性スプリング部３０Ａ及び弱弾性スプリング部３０Ｂは、それぞれを構成するコイルスプリングの外径、線径、有効巻き数のいずれかの変更又はこれらの変更の組み合わせによりコイルスプリング体３０が二段階に屈曲するように構成することで、コイルスプリングの強度や材質、サイズの変更等に応じて強弾性スプリング部３０Ａや弱弾性スプリング部３０Ｂを設けることができる。
【００２４】
請求項５のごとく、前記コイルスプリング体３０に対して前記ポール体２０は着脱自在に連結され、前記ポール体２０を交換可能に構成したことで、仮にポール体２０に何らかの破損が生じた場合でも、ポール体２０の交換ができるので極めて経済的である。
【００２５】
このように本発明によると、除雪車両の投雪や降雪による積雪などの圧力が加わってもポールの変形や折損を防止し、毎年繰り返して使用することが可能で、傾いたポールによる列車運行の妨害や事故なども防止することができるなどといった当初の目的を達成した。
【図面の簡単な説明】
【００２６】
【図１】本発明の一実施例を示す使用状態の正面図である。
【図２】本発明の使用例を示す要部縦断面図である。
【図３】本発明の屈曲状態を示す縦断面図である。
【図４】本発明の固定体を示す平面図である。
【図５】本発明の一実施例を示す縦断面図である。
【発明を実施するための形態】
【００２７】
以下、本発明の実施例を説明する。本発明は降積雪線区の線路脇に設置される諸標用ポールであり、主要構成として、ベース体１０、ポール体２０、コイルスプリング体３０、スプリング補強体４０を備えたものである（図２参照）。
【００２８】
ベース体１０は、地中に固定される固定部材である（図２参照）。このベース体１０の固定手段は周知技術から任意に選択する。例えば、円柱状のベース体１０を地中深く埋設する手段や、このベース体１０に直交するアングル材等の抜け止め材を連結する手段、あるいはコンクリート状の塊を埋設してベース体１０を固定する手段など、設置する地盤や状況、コスト等に応じて固定手段を任意に選択する（図示せず）。
【００２９】
ポール体２０は、ベース体１０に連結支持される杆体状の部材で、地表面の鉛直上方に向けて諸標を設置する（図１参照）。このポール体２０の材質は金属材や合成樹脂材等など、諸標用ポールとして耐久性のある材質から選択する。
【００３０】
コイルスプリング体３０は、ベース体１０とポール体２０とを可撓自在に連結する引っ張り付勢の弾発力を備えたスプリング部材である（図１参照）。コイルスプリング体３０の材質は、硬鋼線、ピアノ線、ステンレス鋼線などから任意に選択できる。本発明では、このコイルスプリング体３０の内部に可撓性の材質で形成された横ずれ防止材３１を装填することで、コイルスプリング体３０の座屈を防止し、後述する連結可撓材４１の位置を保持している（図３参照）。横ずれ防止材３１の材質は、ウレタンなどの合成樹脂材や可撓性のある金属材等から任意に選択される。
【００３１】
更に、このコイルスプリング体３０は、強弾性スプリング部３０Ａと弱弾性スプリング部３０Ｂとで構成されている（図２参照）。これらの強弾性スプリング部３０Ａと弱弾性スプリング部３０Ｂとは弾性強度を変えて設定したもので、コイルスプリング体３０が二段階で屈曲するように設けている（図３参照）。図示例では、連結環５０を介して強弾性スプリング部３０Ａと弱弾性スプリング部３０Ｂとを連結している（図２参照）。この連結環５０は例えば金属材にて構成される。そして、連結環５０の内部に、強弾性スプリング部３０Ａの上端部と弱弾性スプリング部３０Ｂの下端部とを挿入し、これら相互端部を固着している。尚、固着手段は、カシメ手段、溶着手段など任意の手段から選択することができる。
【００３２】
図示の強弾性スプリング部３０Ａは、ベース体１０側に設置されるコイルスプリングである（図２参照）。この強弾性スプリング部３０Ａは、ベース体１０に連結する固定体６０に連結されている。この固定体６０も前記連結環５０と同様に、金属材等にて構成された円筒形状を成している。そして、固定体６０の上部に強弾性スプリング部３０Ａを固着し、固定体６０の下部にベース体１０を着脱自在に連結している。
【００３３】
図示例の固定体６０は、ベース体１０の上端部に装着する円柱状を成した固定筒体６１と、この固定筒体６１の内部に挿入したベース体１０の側面に圧着して固定する複数本の緊締ボルト６２とを備えている（図４参照）。そして、ベース体１０の側面に緊締ボルト６２を締め付けて固定筒体６１を着脱自在に連結する（図２参照）。
【００３４】
図示の弱弾性スプリング部３０Ｂは、ポール体２０側に設置されるコイルスプリングであり、弱弾性スプリング部３０Ｂより弾性復元力を低く設定している。この結果、コイルスプリング体３０に荷重が加わると、弱弾性スプリング部３０Ｂが強弾性スプリング部３０Ａよりも先に屈曲する（図３参照）。更に、コイルスプリング体３０に加わる荷重が増加すると、弱弾性スプリング部３０Ｂに続いて強弾性スプリング部３０Ａの屈曲が始まる。また、強弾性スプリング部３０Ａと弱弾性スプリング部３０Ｂとの設置位置は図示例に限定されず、上下位置を逆にして設置することも可能である。この場合、下の弱弾性スプリング部３０Ｂが先に屈曲し、後から強弾性スプリング部３０Ａが屈曲することになる。
【００３５】
これら強弾性スプリング部３０Ａ及び弱弾性スプリング部３０Ｂの弾性力の設定は、これらを構成するコイルスプリングの外径、線径、有効巻き数を変更することで任意に設定することができる。また、外径、線径、有効巻き数の変更をいずれか選択して組み合わせてもよい。更に、強弾性スプリング部３０Ａと弱弾性スプリング部３０Ｂとのコイルスプリングを同一のコイルスプリングで形成し、強弾性スプリング部３０Ａ側のコイルスプリングの内部又は外部に二重のコイルスプリングを設置して強弾性スプリング部３０Ａと弱弾性スプリング部３０Ｂとを設定することも可能である。
【００３６】
図示例では、弱弾性スプリング部３０Ｂの線径を強弾性スプリング部３０Ａの線径よりも細くしてコイルスプリング体３０の強弱を設定している（図２参照）。この結果、ポール体２０が受ける圧力に対応してコイルスプリング体３０は、弱弾性スプリング部３０Ｂから徐々に屈曲するようになる（図３参照）。
【００３７】
更に、図示の弱弾性スプリング部３０Ｂは、連結体７０を介してポール体２０を連結している（図２参照）。図示の連結体７０は、弾性スプリング部３０Ｂの上端部を固着する固定環７１と、金属製等の筒体状を成した接続管７２とで構成している。そして、接続管７２の内部にポール体２０の下端部を着脱自在に嵌合し、ポール体２０を交換できるように構成している。
【００３８】
スプリング補強体４０は、コイルスプリング体３０の下部に連結するもので、コイルスプリング体３０の伸長力に抗する押圧付勢の弾発力を備えている（図３参照）。図示のスプリング補強体４０は、連結可撓材４１と補強スプリング４２とを備えている。連結可撓材４１は、コイルスプリング体３０の上端部に係止するワイヤーや針金、チェーン等の部材である。
【００３９】
一方、補強スプリング４２は圧縮コイルばねを利用するもので、連結可撓材４１の下部に連結している。そして、引張りコイルばねのコイルスプリング体３０が伸長すると、この補強スプリング４２が弾性収縮し、コイルスプリング体３０の弾性力を補強するものである（図３参照）。
【００４０】
このとき、連結可撓材４１は、コイルスプリング体３０の内部に装填された横ずれ防止材３１の内部を貫通している。このため、連結可撓材４１は、常にコイルスプリング体３０の中心部分に保持されることになる（図３参照）。この結果、コイルスプリング体３０やスプリング補強体４０の弾性力を有効に発揮することができる。また、強弾性スプリング部３０Ａと弱弾性スプリング部３０Ｂとの境界部分において弾性力が極端に変わらないようになり、弱弾性スプリング部３０Ｂから強弾性スプリング部３０Ａへの荷重の移動がスムーズになる。仮に、弾性力の境界部分に極端な差異が生じると、弱弾性スプリング部３０Ｂから強弾性スプリング部３０Ａへ荷重が移動する前に弱弾性スプリング部３０Ｂのみが屈曲してしまう虞が生じる。
【００４１】
図示のスプリング補強体４０は、固定体６０の内部に上部固定環４３を配置し、この下面に補強スプリング４２の上端部を当接させている（図５参照）。更に補強スプリング４２は、上部固定環４３に固定されたガイドパイプ４８の中に収納されている。このガイドパイプ４８は、補強スプリング４２をベース体１０の上端部内側に挿入する部位にもなっており、ベース体１０の上端部に係止する係止部４８Ａを設けている（図２参照）。
【００４２】
更に、補強スプリング４２の下端部に下部固定体４４を設け、この下部固定体４４に連結可撓材４１の下端部を連結している（図５参照）。図示の下部固定体４４は、円盤状の固定板４４Ａと該固定板４４Ａの上面に載置したガイド筒４４Ｂとで構成されている。そして、ガイド筒４４Ｂの外周で補強スプリング４２の下端部が固定板４４Ａの上面に当接するようにしている。
【００４３】
連結可撓材４１の上端部には係止球４１Ａが設けられ、固定環７１の上端部に設置した固定板４７に固定する（図５参照）。一方、連結可撓材４１の下端部は連結ボルト４５の端部に固定されている。この連結ボルト４５は固定板４４Ａの下面から突出するもので、この連結ボルト４５に連結ナット４５Ａをネジ止めして固定板４４Ａの高さを調整することで補強スプリング４２の押圧付勢力を調整できるように構成している。
【００４４】
尚、本発明の各構成は図示例に限定されるものではなく、コイルスプリング体３０は勿論、スプリング補強体４０や、連結環５０、固定体６０、連結体７０等の形状や材質などの変更は、本発明の要旨を変更しない範囲で任意に変更することができる。
【符号の説明】
【００４５】
１０  ベース体
２０  ポール体
３０  コイルスプリング体
３０Ａ  強弾性スプリング部
３０Ｂ  弱弾性スプリング部
３１  横ずれ防止材
４０  スプリング補強体
４１  連結可撓材
４１Ａ  係止球
４２  補強スプリング
４３  上部固定環
４４  下部固定体
４４Ａ  固定板
４４Ｂ  ガイド筒
４５  連結ボルト
４５Ａ  連結ナット
４７  固定板
４８  ガイドパイプ
４８Ａ  係止部
５０  連結環
６０  固定体
７０  連結体
７１  固定環
７２  接続管
【図１】
2017101390.tif 000003
【図２】
2017101390.tif 000004
【図３】
2017101390.tif 000005
【図４】
2017101390.tif 000006
【図５】
2017101390.tif 000007